【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
証券指数プロダクト（securities index product 安全性指数プロダクト）を生成するためにハードウェア資源を用いて具体的に実現されているソフトウェアによる情報処理に関する方法であって、該方法は、
潜在的な構成要素の集合から指数プロダクトの構成要素のグループを選択するステップと、
前記選択された指数プロダクトの構成要素のグループを重み付けするステップと、を含み、
前記指数プロダクトの構成要素のグループを選択するステップは更に、
潜在的な構成要素の前記集合を、最大の時価総額（market capitalization）から最小の時価総額までサイズによって格付けするステップと、
潜在的な構成要素の前記集合を、最低の株価総資産倍率（ＰＢＲ）から最高のＰＢＲまでスタイルによって格付けするステップと、
潜在的な構成要素の前記集合を、それぞれの潜在的な構成要素のサイズ及びスタイルに関して格付けされた位置に従って、グリッドのボックスの間で分割するステップと、
有形資産測度に対するそれぞれの無形資産測度の構成要素の比率によって前記グリッドのボックスの中の前記構成要素を格付けして、無形資産格付けを生じるステップと、
前記無形資産格付けに基づき、それぞれのボックスの中の複数の構成要素を前記指数プロダクトの構成要素として選択するステップと、
を含むことを特徴とする方法。
【請求項２】
請求項１記載の方法であって、指数プロダクトの構成要素の前記選択されたグループはそれぞれ均等に重み付けされることを特徴とする方法。
【請求項３】
請求項１記載の方法であって、指数プロダクトの構成要素の前記選択されたグループはそれぞれ時価総額により重み付けされることを特徴とする方法。
【請求項４】
請求項１記載の方法であって、指数プロダクトの構成要素の前記選択されたグループはそれぞれ第２の無形資産測度により重み付けされることを特徴とする方法。
【請求項５】
請求項１から４のいずれか１項に記載の方法であって、指数構成要素のグループを選択する前記ステップは、流動性に関する少なくとも１つの測度に基づき指数構成要素のグループを潜在的な構成要素の前記集合から選択するステップを含むことを特徴とする方法。
【請求項６】
請求項５記載の方法であって、指数構成要素のグループを選択する前記ステップは、特許、商標、著作権及びトレードシークレットから構成されるグループから選択された知的財産型の資産を有しない会社のグループを潜在的な構成要素の前記集合から削除するステップを更に含むことを特徴とする方法。
【請求項７】
請求項１から６のいずれか１項に記載の方法であって、前記無形資産測度は、商標と著作権とが組み合わされた格付け測度であることを特徴とする方法。
【請求項８】
請求項１から６のいずれか１項に記載の方法であって、前記無形資産測度は、商標格付け測度であることを特徴とする方法。
【請求項９】
請求項１から６のいずれか１項に記載の方法であって、前記無形資産測度は、特許格付け測度であることを特徴とする方法。
【請求項１０】
請求項９記載の方法であって、前記特許格付け測度は、特許維持価値に関する測度であることを特徴とする方法。
【請求項１１】
請求項１から６のいずれか１項に記載の方法であって、前記無形資産測度は、トレードシークレット格付け測度であることを特徴とする方法。
【請求項１２】
請求項１から１１のいずれか１項に記載の方法であって、前記無形資産測度は、組み合わされた知的資本格付け測度であることを特徴とする方法。
【請求項１３】
請求項１から１２のいずれか１項に記載の方法であって、
潜在的な構成要素の集合から、前記集合の中のそれぞれの潜在的な構成要素の無形資産測度に基づいて、指数プロダクトの構成要素の少なくとも第２のグループを選択するステップと、
指数プロダクトの構成要素の前記選択された第２のグループに重みを付けるステップと、
指数プロダクトの構成要素の前記第１のグループと前記少なくとも第２のグループとを組み合わせて、指数プロダクトの構成要素の組み合わされたグループを形成するステップと、
指数プロダクトの構成要素の前記組み合わされたグループの中のそれぞれの指数プロダクトの構成要素に重みを割り当てるステップと、
を更に含むことを特徴とする方法。
【請求項１４】
請求項１３記載の方法であって、前記指数プロダクトの構成要素は株式であり、指数構成要素の前記第１のグループは第１の株式指数（株価指数、stock index）を形成し、指数構成要素の前記少なくとも第２のグループは少なくとも第２の株式指数を形成し、よって、前記指数におけるそれぞれの指数構成要素は前記第１又は第２の株式指数におけるある株式に対応することを特徴とする方法。
【請求項１５】
請求項１４記載の方法であって、それぞれの株式は、当該株式の無形資産測度によって、その第１又は少なくとも第２の株式指数であって重みを付けられることを特徴とする方法。
【請求項１６】
請求項１５記載の方法であって、重みを割り当てる前記ステップは、前記第１及び少なくとも第２の株式指数におけるそれぞれの株式に対して、当該株式がメンバーである前記第１又は第２の株式指数における当該株式の重みと前記指数の重みとの積を計算するステップを含み、前記積は、指数構成要素の前記組み合わされたグループにおける当該株式に対応する指数構成要素に割り当てられる重みであることを特徴とする方法。
【請求項１７】
請求項１６記載の方法であって、前記第１の株式指数の重みは前記第１及び少なくとも第２の株式指数における株式数の総和に対する前記第１の株式指数における株式数の比率であり、前記第２の株式指数の重みは前記第１及び少なくとも第２の株式指数における株式数の総和に対する前記第２の株式指数における株式数の比率であることを特徴とする方法。
【請求項１８】
請求項１７記載の方法であって、前記第１の株式指数におけるそれぞれの株式に重みを付けるのに用いられる無形資産測度は、商標格付け測度であることを特徴とする方法。
【請求項１９】
請求項１８記載の方法であって、前記第２の株式指数におけるそれぞれの株式に重みを付けるのに用いられる無形資産測度は、著作権格付け測度であることを特徴とする方法。
【請求項２０】
請求項１９記載の方法であって、
潜在的な構成要素の第３の集合から、前記第３の集合の中のそれぞれの潜在的な構成要素の無形資産測度に基づいて、指数構成要素の第３のグループを選択するステップと、
指数構成要素の前記選択された第３のグループに重みを付けるステップと、
前記第３のグループと指数構成要素の前記組み合わされたグループとを組み合わせて、指数構成要素の前記組み合わされたグループは指数構成要素の前記第１のグループと前記第２のグループと前記第３のグループとを含むようにするステップと、
を更に含み、指数構成要素の前記第３のグループは第３の株式指数を形成し、前記第３の株式指数におけるそれぞれの株式は、当該株式の特許格付け測度によって重みが付けられることを特徴とする方法。
【請求項２１】
請求項４記載の方法であって、前記選択された指数構成要素に重みを付けるのに用いられる前記第２の無形資産測度は、特許格付け測度であることを特徴とする方法。
【請求項２２】
請求項４記載の方法であって、前記第２の無形資産測度は、商標格付け測度であることを特徴とする方法。
【請求項２３】
請求項４記載の方法であって、前記第２の無形資産測度は、トレードシークレット格付け測度であることを特徴とする方法。
【請求項２４】
請求項４記載の方法であって、前記第２の無形資産測度は、組み合わされた知的資本格付け測度であることを特徴とする方法。
【請求項２５】
請求項１から２４のいずれか１項に記載の方法であって、指数プロダクトの構成要素を選択する前記ステップが、既存の株式指数の構成要素の集合から潜在的な構成要素の集合を選択するステップを含むことを特徴とし、潜在的な構成要素の集合を選択するステップは、
それぞれの構成要素の流動性に関する測度に基づいて既存の指数の構成要素を格付けするステップであって、前記構成要素は最高の流動性から最低の流動性まで格付けされる、ステップと、
前記格付けされた構成要素の最高の百分率を、潜在的な構成要素の前記集合として選択するステップと、
を含むことを特徴とする方法。
【請求項２６】
コンピュータ・プログラム・プロダクトであって、請求項１から２５のいずれか１項に記載の方法をコンピュータシステムに実行させるコンピュータ読み取り可能な命令を備えていることを特徴とする、コンピュータ・プログラム・プロダクト。